(57)【特許請求の範囲】
【請求項１】
管路疎通装置であって、連結器、疏通棒、疏通管、ハンドル、カバー管を含み、前記連結器には電動工具を連結可能であって、前記連結器の一端が前記疏通棒と相互に連結され、前記疏通管に前記疏通棒が挿通され、かつ前記疏通棒の両端がそれぞれ前記疏通管から突出され、前記ハンドルが前記疏通管の外周に被嵌され、前記カバー管が前記ハンドルの下端部に螺接され、
前記疏通棒は金属ワイヤを巻いて成る中空状の螺旋体であり、前記疏通棒の一端が前記連結器と相互に連結され、前記疏通棒の他端に、管路内に詰まった毛髪やその他の閉塞物を捲取るための渦巻状の巻取部が形成され、
前記疏通管は、直管部分、円弧管部分、延伸管部分が一体に接続されて構成された管体であり、前記円弧管部分の両端が前記直管部分の下端部及び前記延伸管部分の下端部とそれぞれ相互に連結され、前記延伸管部分は斜め上方に向かって前記直管部分の一側に延伸され、前記直管部分には前記延伸管部分に向いた一側に第１開口が形成され、前記第１開口は前記直管部分の上端から長軸方向に沿って延伸されており、前記直管部分の管内空間が前記第１開口を通して外部と連通され、
前記ハンドルが前記直管部分の上端部に相隣し、前記ハンドルの一側に、前記ハンドルの両端に亘って軸方向に沿う第２開口が形成され、前記カバー管の一側に、前記カバー管の両端に亘って軸方向に沿う第３開口が形成され、前記第１開口、前記第２開口、前記第３開口の横方向の幅が前記疏通棒の外径より大きく、これにより、前記疏通棒の一部を、前記第１開口、前記第２開口、前記第３開口を通過させて前記疏通管から突出可能としたことを特徴とする、管路疎通装置。
【請求項２】
前記連結器の一端に、電動工具連結用の複数の結合溝が凹陥され、前記連結器の他端に軸孔が設けられ、前記疏通棒の一端が前記軸孔に挿入され、前記軸孔の孔壁に２つの凸部が形成され、各前記凸部が前記疏通棒の両側に相対して嵌め込まれ、これにより前記連結器と前記疏通棒が結合されることを特徴とする、請求項１に記載の管路疎通装置。
【発明の詳細な説明】
【技術分野】
【０００１】
本発明は、便器や排水孔、水槽等に接続される詰まった管路を疎通させる管路疎通装置に関する。
【背景技術】
【０００２】
現代人が毎日使用する便器は、主に水の衝撃力を利用して排泄物を便器の排泄管路から排出し、便器を清潔に維持しているが、便器の排泄管路内にトイレットペーパーや排泄物、その他うっかり落としてしまった物品などが詰まると、便器疎通装置を使用して便器の排泄管路を疏通させるのが一般的である。
【０００３】
従来の便器疎通装置は、通常、半円形吸盤体を有し、半円形吸盤体の上面に棒体が取り付けられている。
この便器疎通装置を使用する時は、半円形吸盤体を便器の排泄管路上に合わせてこれを覆い、棒体を握って押す動作と引く動作を繰り返して、棒体前端部の半円形吸盤体を圧縮或いは復元させ、半円形吸盤体が圧縮されたときと復元するときとで、それが覆っている便器の排泄管路内の水圧を変化させ、圧力の変化によって排泄管路内に詰まった異物を排除し、管路を疏通させる。
【０００４】
しかしながら、実際の使用時は、便器疎通装置の半円形吸盤体で便器の排泄管路入口をしっかり覆うことができず、密閉性がよくないため、半円形吸盤体で便器の排泄管路内の水に対して押圧を行っても、それによって生じることのできる圧力変化には限りがあり、便器の排泄管路を疏通させる効果が低い。
しかも、上下に圧縮させる動作のために、先に下方向に押圧された気体が再び上に向かって吸い戻され、汚れた気体が漂い、悪臭を発することがあり、これでは問題が増えるだけで、例えば浴室の排水孔の排水管、台所の流し台の水槽の排水管等の詰まった排水管路など、家の中のその他の管路に使用することはもってのほかである。
【発明の概要】
【発明が解決しようとする課題】
【０００５】
本発明が解決しようとする課題は、詰まった管路を効果的かつ迅速に疎通させることができるだけでなく、管路を塞ぐ異物を徹底的に取り除くことができる管路疎通装置を提供することにある。
【課題を解決するための手段】
【０００６】
本発明の管路疎通装置は、連結器、疏通棒、疏通管、ハンドル、カバー管を含み、前記連結器には電動工具を連結可能であって、前記連結器の一端が前記疏通棒と相互に連結され、前記疏通管に前記疏通棒が挿通され、かつ前記疏通棒の両端がそれぞれ前記疏通管から突出され、前記ハンドルが前記疏通管の外周に被嵌され、前記カバー管が前記ハンドルの下端部に螺接され、前記疏通棒は金属ワイヤを巻いて成る中空状の螺旋体であり、前記疏通棒の一端が前記連結器と相互に連結され、前記疏通棒の他端に、管路内に詰まった閉塞物を捲取るための渦巻状の巻取部が形成され、前記疏通管は、直管部分、円弧管部分、延伸管部分が一体に接続されて構成された管体であり、前記円弧管部分の両端が前記直管部分の下端部及び前記延伸管部分の下端部とそれぞれ相互に連結され、前記延伸管部分は斜め上方に向かって前記直管部分の一側に延伸され、前記直管部分には前記延伸管部分に向いた一側に第１開口が形成され、前記第１開口は前記直管部分の上端から長軸方向に沿って延伸されており、前記直管部分の管内空間が前記第１開口を通して外部と連通され、前記ハンドルが前記直管部分の上端部に相隣し、前記ハンドルの一側に、前記ハンドルの両端に亘って軸方向に沿う第２開口が形成され、前記カバー管の一側に、前記カバー管の両端に亘って軸方向に沿う第３開口が形成され、前記第１開口、前記第２開口、前記第３開口の横方向の幅が前記疏通棒の外径より大きく、これにより、前記疏通棒の一部を、前記第１開口、前記第２開口、前記第３開口を通過させて前記疏通管から突出可能とする。
【０００７】
前記連結器の一端に、電動工具連結用の複数の結合溝が凹陥され、前記連結器の他端に軸孔が設けられ、前記疏通棒の一端が前記軸孔に挿入され、前記軸孔の孔壁に２つの凸部が形成され、各前記凸部が前記疏通棒の両側に相対して嵌め込まれ、これにより前記連結器と前記疏通棒が結合されることがある。
【発明の効果】
【０００８】
本発明によれば、疏通管のガイドにより巻取部が管路の内部に伸入され、閉塞物を破壊または巻き取ることができ、閉塞物が管路の深い場所にある場合、疏通棒の一部を第１開口、第２開口、第３開口に通過させて疏通管から突出させ、巻取部を管路のより深くに挿入し、効果的かつ迅速に詰まった管路を疏通させることができる。
【図面の簡単な説明】
【０００９】
【図１】本発明の実施例を示す管路疎通装置の斜視図である。
【図２】本発明の実施例に係る連結器及び疏通棒の斜視図である。
【図３】本発明の実施例に係る連結器と疏通棒の連結部分の断面図である。
【図４】本発明の実施例に係る連結器と疏通棒との結合操作の第１段階を示す要部断面図である。
【図５】本発明の実施例に係る連結器と疏通棒との結合操作の第２段階を示す要部断面図である。
【図６】本発明の実施例に係る疏通管、ハンドル、カバー管の分解斜視図である。
【図７】本発明の実施例を示す管路疎通装置の第１使用状態における概略図である。
【図８】本発明の実施例を示す管路疎通装置の第２使用状態における概略図である。
【発明を実施するための形態】
【００１０】
以下、本発明の実施例を図面に基づいて詳細に説明する。
本発明の管路疎通装置は、図１及び図２に示すように、連結器１０、疏通棒２０、疏通管３０、ハンドル４０、カバー管５０を含む。
連結器１０は電動工具（図示しない）の棒体を連結するために用いられ、連結器１０の一端が疏通棒２０と相互に連結され、疏通管３０に疏通棒２０が挿通され、かつ疏通棒２０の両端がそれぞれ疏通管３０から突出され、ハンドル４０が疏通管３０の外部に被嵌され、カバー管５０がハンドル４０に螺接される。
【００１１】
連結器１０の一端に複数の結合溝１１が凹陥され、これら結合溝１１を介して連結器１０と前記電動工具を相互に連結可能とし、連結器１０の他端が疏通棒２０の一端に連結される。従って、前記電動工具で連結器１０及び疏通棒２０を旋回させることができる（図３参照）。
疏通棒２０は金属ワイヤを巻いて成る中空状螺旋体であり、疏通棒２０の一端が連結器１０の他端に中心軸に沿って形成された軸孔１２に挿入される。疏通棒２０の他端には、渦巻状の巻取部２２が形成され、前記電動工具で連結器１０及び疏通棒２０を旋回させたとき、巻取部２２で管路内に詰まった毛髮やその他の閉塞物を巻き取ることができるようになっている。
【００１２】
図４に示すように、疏通棒２０の一端が軸孔１２に挿入され、その後、図５に示すように、一対の挟持部１を備えた工具を使用して、各挟持部１をそれぞれ連結器１０の両側に配置し、前記工具を操作して、各挟持部１で連結器１０を挟み込んで圧迫すると、軸孔１２の孔壁が各挟持部１の圧迫により軸孔１２内部方向に向かって局部的に変形されて２つの凸部１３が形成され、各凸部１３が疏通棒２０の両側に相対して嵌め込まれ、これにより連結器１０と疏通棒２０が連動するよう結合される。
【００１３】
図１、図６、図７に示すように、疏通管３０は、直管部分３１、円弧管部分３２、延伸管部分３３が一体として接続されて構成された管体であり、円弧管部分３２の両端が直管部分３１の下端部及び延伸管部分３３の下端部とそれぞれ相互に連結される。
延伸管部分３３は斜め上方に向かって直管部分３１の一側に延伸される。
直管部分３１には、延伸管部分３３に向いた一側に第１開口３４が形成される。第１開口３４は、直管部分３１の上端から長軸方向に沿って延伸されており、直管部分３１の管内空間が第１開口３４を通して外部と連通される。
【００１４】
ハンドル４０は疏通管３０の外周に被嵌され、かつハンドル４０は直管部分３１の上端部に相隣している。また、カバー管５０はハンドル４０の下端部に螺接される。
ハンドル４０の一側には、ハンドル４０の両端に亘って軸方向に沿う第２開口４２が形成される。カバー管５０の一側には、カバー管５０の両端に亘って軸方向に沿う第３開口５２が形成される。
第１開口３４、第２開口４２、第３開口５２の横方向の幅は疏通棒２０の外径より大きく、これにより、疏通棒２０の一部（一端部）が第１開口３４、第２開口４２、第３開口５２を通過して疏通管３０から突出できるようになっている。
【００１５】
管路疎通装置を使用して詰まった便器６０を疏通させるときは、図７に示すように、連結器１０と電動工具２を相互に連結し、疏通管３０を便器６０内部に伸入させ、かつ円弧管部分３２及び延伸管部分３３を延伸して便器６０の湾曲状排泄管路６１に進入させる。すると、円弧管部分３２及び延伸管部分３３のガイドにより、疏通棒２０の巻取部２２を排泄管路６１内に進入させることができる。
この時、カバー管５０を旋回させて、第３開口５２と第１開口３４及び第２開口４２を互い違いにずらして配置しておき、カバー管５０が疏通棒２０の脱出を規制して、疏通棒２０が疏通過程中に疏通管３０内に留置されるようにする。
【００１６】
その後、使用者は片手でハンドル４０を握り、疏通管３０の位置を保持し、電動工具２を操作して、電動工具２で疏通棒２０を旋回させ、旋回する巻取部２２で排泄管路６１に詰まった糞便、トイレットペーパー、その他異物等の閉塞物７２をかき混ぜて破壊し、閉塞物７２が巻取部２２により破壊されてより小さな屑になると、便器６０内部の貯め水７４の水圧によって閉塞物７２を流し去り、排泄管路６１を疏通させることができる。
閉塞物７２が破壊されにくい場合、巻取部２２は閉塞物７２を巻き取ることもでき、巻き取った後使用者が疏通管３０及び疏通棒２０を排泄管路６１から取り出すと、閉塞物７２を排泄管路６１から引き出し、便器６０から取り出して、排泄管路６１を疏通させることができる。
【００１７】
閉塞物７２が排泄管路６１の深い場所にあり、疏通管３０の長さ及び円弧管部分３２と延伸管部分３３の形状の制限によって、巻取部２２を排泄管路６１に深く挿入して閉塞物７２に接触させることが難しい場合、図１と図８に示すように、まず疏通管３０を利用して巻取部２２をガイドし、排泄管路６１内に進入させてから、カバー管５０を旋回させて第３開口５２と第１開口３４及び第２開口４２を連通させる。そして、疏通棒２０の上部と連結器１０近くの部分を第１開口３４、第２開口４２及び第３開口５２に通過させて疏通管３０から突出させると、巻取部２２を、直管部分３１の長さの制限を受けることなく、さらに深く排泄管路６１に進入させることができ、電動工具２で疏通棒２０を駆動して旋回させ、排泄管路６１を疏通させることができる。
【００１８】
図７と図８を参照して説明した操作と同じ操作を行うことで、本実施例の管路疎通装置を浴室排水孔に接続された排水管、キッチン流し台の水槽の排水管等の詰まった排水管路の疏通に使用することができる。
【符号の説明】
【００１９】
１        挟持部
２        電動工具
１０      連結器
１１      結合溝
１２      軸孔
１３      凸部
２０      疏通棒
２２      巻取部
３０      疏通管
３１      直管部分
３２      円弧管部分
３３      延伸管部分
３４      第１開口
４０      ハンドル
４２      第２開口
５０      カバー管
５２      第３開口
６０      便器
６１      排泄管路
７２      閉塞物
７４      貯め水
【図１】
0006359493.tif 000002
【図２】
0006359493.tif 000003
【図３】
0006359493.tif 000004
【図４】
0006359493.tif 000005
【図５】
0006359493.tif 000006
【図６】
0006359493.tif 000007
【図７】
0006359493.tif 000008
【図８】
0006359493.tif 000009